(57)【特許請求の範囲】
【請求項１】
表示灯がそれぞれ設けられた複数の作業機と、
前記複数の作業機の情報を管理する管理装置と、
押しボタンを有し、情報表示を指示する信号を前記押しボタンの操作方法に応じて出力する携帯端末と、を備え、
前記情報に基づいて、前記複数の作業機のうち、前記携帯端末からの信号に対応する作業機の表示灯を制御することを特徴とする情報表示システム。
【請求項２】
前記管理装置は、前記携帯端末からの信号を受信し、前記情報に基づいて前記複数の作業機に信号を送信することを特徴とする請求項１に記載の情報表示システム。
【請求項３】
表示灯がそれぞれ設けられた複数の作業機と、
前記複数の作業機の情報を管理する管理装置と、
情報表示を指示する信号を出力する複数の携帯端末と、を備え、
前記情報に基づいて、前記複数の作業機のうち、前記携帯端末からの信号に対応する作業機の表示灯を制御し、
前記複数の携帯端末のＩＤと前記複数の作業機とを対応させるデータテーブルを前記情報として前記管理装置で管理し、
前記携帯端末のＩＤに対応する全ての作業機の表示灯を作動させることを特徴とする情報表示システム。
【請求項４】
表示灯がそれぞれ設けられた複数の作業機と、
前記複数の作業機の情報を管理する管理装置と、
情報表示を指示する信号を出力する携帯端末と、を備え、
前記情報に基づいて、前記複数の作業機のうち、前記携帯端末からの信号に対応する作業機の表示灯を制御し、
前記情報に、前記作業機の稼働状態に関する情報である稼働情報を含み、
前記携帯端末のＩＤに対応する全ての作業機のうち、前記稼働情報に関連した判定項目に当てはまる作業機の表示灯を作動させることを特徴とする情報表示システム。
【請求項５】
前記稼働情報に関連した判定項目は、部品補給が必要であるとの判定項目であることを特徴とする請求項４に記載の情報表示システム。
【請求項６】
前記稼働情報に関連した判定項目は、メンテナンスが必要であるとの判定項目であることを特徴とする請求項４に記載の情報表示システム。
【発明の詳細な説明】
【技術分野】
【０００１】
本発明は、複数の作業機のそれぞれに設けられた表示灯を制御する情報表示システムに関するものである。
【背景技術】
【０００２】
従来より、複数の作業機のそれぞれに設けられた表示灯を制御する情報表示システムに関し、種々の技術が提案されている。例えば、下記特許文献１に記載された部品実装システムは、表示部と操作部とが一体となった携帯操作端末の画面上での操作によって選択された実装機に対して接続要求を行うとともに当該接続要求先の実装機からの応答を受けて当該携帯操作端末を接続状態にし、選択された実装機において接続要求に応答するとともに当該実装機を接続状態にする構成において、当該実装機が接続状態になったことを作業者に音または光により直接通知することにより、さらに当該携帯操作端末と接続状態にある実装機を問い合わせるために作業者が操作を行う問合わせ操作部を設け、問い合わせに応答して作業者に当該実装機の所在を音または光によって直接知らせることにより、無線通信による携帯操作端末よって実装機の操作を行うに際し、誤接続や不安全操作を防止することができる。
【先行技術文献】
【特許文献】
【０００３】
【特許文献１】特開２０１５−９７２２４号公報
【発明の概要】
【発明が解決しようとする課題】
【０００４】
しかしながら、作業者に当該実装機の所在を音または光によって直接知らせるためには、当該携帯操作端末と当該実装機との間で接続要求及び接続許可応答の各送受信が行われることにより、当該携帯操作端末と当該実装機とを接続状態にし、更に、当該携帯操作端末の画面に問合わせ操作部を設ける等の各準備を必要としていた。
【０００５】
従って、作業者が当該実装機の所在を確認するために、当該携帯操作端末の操作を開始してから、作業者に当該実装機の所在を音または光によって直接知らせるまでには、少なくとも、上記各準備の処理に必要な時間分に相当するずれが生じていた。
【０００６】
そこで、本発明は、上述した点を鑑みてなされたものであり、複数の作業機の中から、作業者が自ら担当する作業機の所在を即時に確認することが可能な情報表示システムを提供することを課題とする。
【課題を解決するための手段】
【０００７】
この課題を解決するためになされた本願の情報表示システムは、表示灯がそれぞれ設けられた複数の作業機と、前記複数の作業機の情報を管理する管理装置と、押しボタンを有し、情報表示を指示する信号を前記押しボタンの操作方法に応じて出力する携帯端末と、を備え、前記情報に基づいて、前記複数の作業機のうち、前記携帯端末からの信号に対応する作業機の表示灯を制御することを特徴とする。
【発明の効果】
【０００８】
本発明の情報表示システムは、携帯端末から情報表示を指示する信号が出力されると、管理装置が管理する複数の作業機の情報に基づいて、複数の作業機のうち、携帯端末からの信号に対応する作業機の表示灯を制御する。よって、本発明の情報表示システムでは、複数の作業機の中から、作業者が自ら担当する作業機の所在を即時に確認することが可能である。
【図面の簡単な説明】
【０００９】
【図１】本発明の一実施形態の情報表示システムが備える複数の作業機で構成された生産ラインを表した図である。
【図２】同情報表示システムを表したブロック図である。
【図３】携帯端末のＩＤと作業機のＩＤとの対応関係を表した図である。
【図４】携帯端末のボタン操作方法と信号内容との対応関係を表した図である。
【図５】各作業機の稼働情報を表した図である。
【図６】同情報表示システムの動作を表したフローチャート図である。
【図７】携帯端末の変更例を表した図である。
【発明を実施するための形態】
【００１０】
以下、本発明を具体化した情報表示システムについて図面を参照しつつ説明する。
【００１１】
［１．システム構成］
図１及び図２に表すように、本実施形態の情報表示システム１１は、複数の作業機１３を備えている。各作業機１３のそれぞれの上部には、操作パネル１５及び表示灯１７が設けられている。操作パネル１５は、各種情報を表示するディスプレイ、及び作業者Ｐが各種指令を入力するタッチパネルを有している。表示灯１７は、赤色、青色、及び黄色の光をそれぞれ周囲に放光する３段の発光ユニットが積み重ねられて筒状に構成されており、様々な発光パターンで作動するものである。
【００１２】
本実施形態では、各作業機１３が図１視で左右方向に列設されることによって、図１視で紙面奥側に向かって３つの生産ラインが所定間隔を置いて並設されている。各作業機１３では、操作パネル１５が不図示の取付ブラケット等を介して各作業機１３の筐体上部に設けられている。従って、作業者Ｐは、各生産ラインを見渡す方向によっては、幾つかの作業機１３の操作パネル１５を視認できないことがある。これに対して、各作業機１３では、表示灯１７が取付ポールを介して各作業機１３の筐体よりも高い位置に設けられている。従って、作業者Ｐは、各生産ラインをいずれの方向から見渡しても、各作業機１３の表示灯１７のそれぞれを視認することが可能である。
【００１３】
図２に表すように、本実施形態の情報表示システム１１は、上述した各作業機１３に加え、携帯端末１９、受信器２１、管理コントローラ２３、及びＬＡＮ（Local Area Network）２５を備えている。ＬＡＮ２５は、情報表示システム１１のデータ通信網を形成するものであり、各作業機１３、携帯端末１９、受信器２１、及び管理コントローラ２３が接続されている。
【００１４】
携帯端末１９は、作業者Ｐが携帯することが可能なキーホルダータイプの信号出力機器であり、ＣＰＵ（Central Processing Unit）２７、ＲＯＭ（Read Only Memory）２９、ＲＡＭ（Random Access Memory）３１、送信部３３、及び操作部３５を有している。ＣＰＵ２７は、携帯端末１９の全体制御を司る中央演算処理装置である。ＲＯＭ２９は、読み出し専用のメモリである。ＲＡＭ３１は、ランダムアクセスで読み書き共に可能なメモリである。送信部３３は、ＬＡＮ２５に接続された受信器２１に対し無線通信で信号を出力するものである。操作部３５は、１個の押しボタンが設けられた入力デバイスであり、押しボタン操作に応じた内容の信号を入力するものである。入力された信号は、送信部３３によって無線信号で出力される。
【００１５】
受信器２１は、携帯端末１９からの接続要求を受け付け、ＬＡＮ２５への通信を仲介するアクセスポイントである。
【００１６】
管理コントローラ２３は、情報表示システム１１で使用する情報等を管理するものであり、ＣＰＵ３７、ＲＯＭ３９、ＲＡＭ４１、及びＨＤＤ（Hard Disc Drive）４３を有している。ＣＰＵ３７は、管理コントローラ２３の全体制御を司る中央演算処理装置である。ＲＯＭ３９は、読み出し専用のメモリであり、後述する信号処理のプログラム等が記憶されている。ＲＡＭ４１は、ランダムアクセスで読み書き共に可能なメモリである。ＨＤＤ４３は、情報表示システム１１で使用される情報等を読み書きする記憶装置である。情報表示システム１１で使用される情報には、例えば、ＩＤ対応テーブル４５、信号対応テーブル４７、及び稼働情報テーブル４９等があり、それらの詳細は後述する。
【００１７】
更に、管理コントローラ２３は、通信部５１、表示部５３、及び操作部５５を有している。通信部５１は、ＬＡＮ２５に接続された各作業機１３及び受信器２１と双方向通信を行うものである。表示部５３は、各種情報を表示するディスプレイである。操作部５５は、作業者Ｐが各種指令を入力するタッチパネル及び入力キー等で構成されている。
【００１８】
尚、管理コントローラ２３は、複数台設けることにより、処理負担を分散させても良い。
【００１９】
各作業機１３は、供給機、はんだ印刷機、はんだ印刷検査機、電子部品実装機、基板外観検査機、連結コンベア、硬化機、又は収納機等の対基板作業機であり、上述した操作パネル１５及び表示灯１７に加え、ＣＰＵ５７、ＲＯＭ５９、ＲＡＭ６１、作業処理ユニット６３、及び通信部６５を有している。ＣＰＵ５７は、作業機１３の全体制御を司る中央演算処理装置である。ＲＯＭ５９は、読み出し専用のメモリである。ＲＡＭ６１は、ランダムアクセスで読み書き共に可能なメモリである。作業処理ユニット６３は、対基板作業機の種類に応じた処理を実行するものである。例えば、作業機１３が電子部品実装機である場合には、作業処理ユニット６３は、電子部品を採取するヘッドや基板を搬送する搬送部等を有し、電子部品を基板上に配置、装着、挿入、接合、及び接着する実装処理を実行する。通信部６５は、ＬＡＮ２５に接続された各作業機１３、受信器２１、及び管理コントローラ２３と双方向通信を行うものである。
【００２０】
［２．携帯端末と作業機との対応関係］
次に、管理コントローラ２３のＨＤＤ４３に記憶されているＩＤ対応テーブル４５について説明する。図３に表すように、ＩＤ対応テーブル４５は、携帯端末１９のＩＤ（Identification number）と各作業機１３のＩＤとの対応関係を示したデータテーブルである。つまり、本実施形態では、２台以上の携帯端末１９が存在し、例えば、ＩＤが「１００００００１」が携帯端末１９には、ＩＤが「１０１」「１０２」「１２１」「１２２」「１２３」「１２４」…「１７８」「１９８」の各作業機１３が対応する。ＩＤが「１００００００２」が携帯端末１９には、ＩＤが「１０３」「１０４」「１０５」…「１４８」の各作業機１３が対応する。
【００２１】
このようにして、各作業機１３は、１台の携帯端末１９のみと対応関係にあるが、２台以上の携帯端末１９と対応関係にあっても良い。また、作業機１３と携帯端末１９の対応関係は、一対一の関係であっても良い。
【００２２】
［３．携帯端末の操作と信号内容との対応関係］
次に、管理コントローラ２３のＨＤＤ４３に記憶されている信号対応テーブル４７について説明する。図４に表すように、信号対応テーブル４７は、携帯端末１９の押しボタン操作方法に応じた携帯端末１９の出力信号と当該出力信号の内容との対応関係を示したデータテーブルである。具体的には、携帯端末１９の押しボタン操作方法Ａに応じた携帯端末１９の出力信号の内容は「担当する作業機」である。同操作方法Ｂ１に応じた携帯端末１９の出力信号の内容は「５分以内に電子部品補給が必要な作業機」であり、同操作方法Ｂ２に応じた携帯端末１９の出力信号の内容は「１０分以内に電子部品補給が必要な作業機」であり、同操作方法Ｂ３に応じた携帯端末１９の出力信号の内容は「３０分以内に電子部品補給が必要な作業機」である。同操作方法Ｃ１に応じた携帯端末１９の出力信号の内容は「３０分以内に吸着ミスが２点以上あった作業機」であり、同操作方法Ｃ２に応じた携帯端末１９の出力信号の内容は「６０分以内に吸着ミスが２点以上あった作業機」である。
【００２３】
尚、携帯端末１９の各押しボタン操作方法Ａ，Ｂ１，Ｂ２，Ｂ３，Ｃ１，Ｃ２，…は、例えば、携帯端末１９の押しボタンを押した状態を継続した秒数、又は携帯端末１９の押しボタンを連続して押した回数等によって区別される。
【００２４】
［４．稼働情報］
次に、管理コントローラ２３のＨＤＤ４３に記憶されている稼働情報テーブル４９について説明する。図５に表すように、稼働情報テーブル４９は、各作業機１３の稼働状態に関する情報（稼働情報）を示したデータテーブルである。具体的には、例えば、ＩＤが「１０１」の作業機１３についての稼働情報としては、「５分以内に電子部品補給が必要」、「３０分以内に吸着ミスが２点以上有り」、「直近１０枚以内の基板に吸着ミス有り」、及び「基板の生産枚数：１００枚」等がある。ＩＤが「１０２」の作業機１３についての稼働情報としては、「３０分以内に電子部品補給が必要」、「６０分以内に吸着ミスが２点以上有り」等がある。
【００２５】
尚、稼働情報テーブル４９の稼働情報は、各作業機１３と管理コントローラ２３との間で行われるデータ通信により、管理コントローラ２３に取得される。
【００２６】
［５．信号処理］
次に、管理コントローラ２３のＣＰＵ３７で実行される信号処理について説明する。図６に表すように、信号処理が実行されると、携帯端末１９からの出力信号を受信したか否かが判定される（ステップＳ１１）。携帯端末１９からの出力信号は、押しボタン操作方法に応じた内容で当該携帯端末１９のＩＤを付して携帯端末１９から送信され、受信器２１及び通信部５１を介して管理コントローラ２３に受信される。携帯端末１９からの出力信号を受信していない場合（ステップＳ１１：ＮＯ）には、当該信号処理は終了する。
【００２７】
これに対して、携帯端末１９からの出力信号を受信した場合（ステップＳ１１：ＹＥＳ）には、その受信信号が分析される（ステップＳ１３）。この分析では、信号対応テーブル４７に基づいて、携帯端末１９からの出力信号の内容が明らかにされる。
【００２８】
その後は、担当する全ての作業機１３が抽出される（ステップＳ１５）。この抽出では、ＩＤ対応テーブル４５に基づいて、携帯端末１９からの出力信号に付された当該携帯端末１９のＩＤと対応関係にあるＩＤの作業機１３が全て特定される。
【００２９】
次に、上記受信信号が稼働情報に関連するか否かが判定される（ステップＳ１７）。具体的には、上記ステップＳ１３の分析において、上記受信信号の内容が携帯端末１９の押しボタン操作方法Ａに応じた携帯端末１９の出力信号の内容である場合には、上記受信信号が稼働情報に関連しないと判定され、同操作方法Ａに応じた携帯端末１９の出力信号の内容でない場合には、上記受信信号が稼働情報に関連すると判定される。
【００３０】
上記受信信号が稼働情報に関連しない場合（ステップＳ１７：ＮＯ）には、担当する全ての作業機１３の表示灯１７を作動させる（ステップＳ１９）。具体的には、管理コントローラ２３は、上記ステップＳ１５で特定された全ての作業機１３に対して、表示灯１７を発光制御するように指令する。これにより、作業者Ｐは、自らに割り当てられた携帯端末１９を所持し、当該携帯端末１９に対して押しボタン操作方法Ａを行うことにより、自らが担当する全ての作業機１３の表示灯１７を発光させることができる。尚、その後は、当該信号処理は終了する。
【００３１】
これに対して、上記受信信号が稼働情報に関連する場合（ステップＳ１７：ＹＥＳ）には、担当する全ての作業機１３のうち、判定項目に当てはまる作業機１３の表示灯１７を作動させる（ステップＳ２１）。具体的には、管理コントローラ２３は、上記ステップＳ１５で特定された全ての作業機１３の中から、上記ステップＳ１３で分析された受信信号の内容に該当する作業機１３に対して、表示灯１７を発光制御するように指令する。
【００３２】
例えば、上記ステップＳ１３で分析された受信信号の内容が「５分以内に電子部品補給が必要な作業機」であれば、上記ステップＳ１５で特定された全ての作業機１３の中から、「５分以内に電子部品補給が必要な作業機」に該当する作業機１３に対して、表示灯１７を発光制御するように指令する。これにより、作業者Ｐは、自らに割り当てられた携帯端末１９を所持し、例えば、当該携帯端末１９に対して押しボタン操作方法Ｂ１を行うと、自らが担当する全ての作業機１３の中から、「５分以内に電子部品補給が必要な作業機」に該当する作業機１３の表示灯１７を発光させることができる。尚、表示灯１７の発光パターンは、上記ステップＳ１３で分析された受信信号の内容ごと、つまり、判定項目ごとに変えても良い。その後は、当該信号処理は終了する。
【００３３】
［６．まとめ］
以上、詳細に説明したように、本実施形態の情報表示システム１１では、携帯端末１９から信号が出力されると、管理コントローラ２３が、複数の作業機１３のうち、携帯端末１９からの出力信号に対応する作業機１３の表示灯１７を制御する。
【００３４】
具体的には、管理コントローラ２３は、携帯端末１９からの出力信号を受信し（ステップＳ１１：ＹＥＳ）、管理コントローラ２３自身が管理する信号対応テーブル４７等の情報に基づいて複数の作業機１３に指令信号を送信することにより、携帯端末１９からの出力信号に対応する作業機１３の表示灯１７を制御する（ステップＳ１９，ステップＳ２１）。
【００３５】
つまり、本実施形態の情報表示システム１１では、作業者Ｐは、携帯端末１９に対して押しボタン操作方法Ａを行うと、自らが担当する全ての作業機１３の表示灯１７を発光させることができるので、複数の作業機１３の中から、自ら担当する作業機１３の所在を即時に確認することが可能である。これにより、作業者Ｐは、担当外の作業機１３に駆けつけるようなロス時間の発生を防止することができる。
【００３６】
本実施形態の情報表示システム１１は、複数の携帯端末１９のＩＤと複数の作業機１３とを対応させるＩＤ対応テーブル４５を情報として管理コントローラ２３で管理し、携帯端末１９のＩＤに対応する全ての作業機１３の表示灯１７を作動させる（ステップＳ１５，ステップＳ１９）。よって、本実施形態の情報表示システム１１では、携帯端末１９を複数台備えていても、複数の携帯端末１９を複数の作業者Ｐにそれぞれ割り当てれば、各作業者Ｐは、複数の作業機１３の中から、自ら担当する作業機１３の所在を即時に確認することが可能である。
【００３７】
本実施形態の情報表示システム１１は、管理コントローラ２３が管理する複数の作業機１３の情報として、作業機１３の稼働状態に関する情報である稼働情報が整理された稼働情報テーブル４９を含ませており、携帯端末１９のＩＤに対応する全ての作業機１３のうち、稼働情報に関連した判定項目に当てはまる作業機１３の表示灯１７を作動させる（ステップＳ１５，ステップＳ２１）。従って、本実施形態の情報表示システム１１では、作業者Ｐは、自ら担当する作業機１３の中から、稼働情報に関連した判定項目に当てはまる作業機１３を即時に確認することが可能である。すなわち、作業者Ｐは、自ら担当する作業機１３の稼働情報を、作業機１３の操作パネル１５で視認するよりも素早く確認できる。この点は、作業者Ｐが作業機１３の稼働情報をＰＤＡ（Personal Digital Assistant）に表示させる場合も同様である。
【００３８】
本実施形態の情報表示システム１１では、信号対応テーブル４７に表すように、稼働情報に関連した判定項目として、「電子部品補給が必要な作業機」との判定項目がある。携帯端末１９の押しボタン操作方法を変更することによって、電子部品補給が必要となるまでの時間、つまり、判定区間を、例えば、５分以内、１０分以内、又は３０分以内等に変更させることが可能である。
【００３９】
本実施形態の情報表示システム１１では、信号対応テーブル４７に表すように、稼働情報に関連した判定項目として、「吸着ミスが２点以上あった作業機」のようなメンテナンスが必要であるとの判定項目がある。携帯端末１９の押しボタン操作方法を変更することによって、吸着ミスが計数される時間、つまり、判定区間を、例えば、３０分以内、又は６０分以内等に変更させることが可能である。
【００４０】
更に、携帯端末１９の押しボタン操作方法を変更することによって、メンテナンスが必要となる判定項目を、例えば、生産枚数不足、生産時間遅れ、又は生産悪化レベル等に変更しても良い。
【００４１】
ちなみに、本実施形態において、管理コントローラ２３は「管理装置」の一例であり、ＩＤ対応テーブル４５は「データテーブル」の一例であり、稼働情報テーブル４９は「稼働情報」の一例である。
【００４２】
［７．その他］
尚、本発明は上記実施形態に限定されるものでなく、その趣旨を逸脱しない範囲で様々な変更が可能である。
例えば、上記実施形態では、携帯端末１９からの出力信号に対応する作業機１３の表示灯１７を制御すること、つまり、図６の信号処理を、管理コントローラ２３によって実行していたが、受信器２１又は各作業機１３によって実行しても良い。受信器２１によって実行する場合には、ＩＤ対応テーブル４５及び信号対応テーブル４７等の情報を受信器２１が備えても良い。
【００４３】
各作業機１３によって実行する場合には、ＩＤ対応テーブル４５及び信号対応テーブル４７等の情報を各作業機１３が備える。更に、各作業機１３は、作業機１３自身が有するＩＤ及び稼働情報を使用して、携帯端末１９のＩＤと作業機１３自身のＩＤが対応関係にあるときに限り（ステップＳ１５）、携帯端末１９からの出力信号が稼働情報に関連するか否かを判定し（ステップＳ１７）、その判定結果に応じて、作業機１３自身の表示灯１７を制御する（ステップＳ１９，ステップＳ２１）。もっとも、各作業機１３は、ＩＤ対応テーブル４５に代えて、作業機１３自身と対応関係にある携帯端末１９のＩＤのみを備えても良い。
【００４４】
上記実施形態の携帯端末１９は、複数台あったが、１台しかない場合であっても良い。このような場合には、ＩＤ対応テーブル４５は不要であり、信号処理のステップＳ１５も不要である。
【００４５】
また、上記実施形態の携帯端末１９は、操作部３５として、１個の押しボタンが設けられたものであったが、複数の押しボタンが設けられたものでも良い。このような場合には、押しボタン操作方法は、例えば、押された押しボタンの組合せ、又は押された押しボタンの順序等によって区別される。
【００４６】
また、上記実施形態の携帯端末１９はキーホルダータイプであるが、図７に表すようなペンタイプの携帯端末１０１であっても良い。このような携帯端末１０１は、胴軸部１０３、及びノック部１０５を備えている。ノック部１０５が胴軸部１０３に向けて押されることにより、携帯端末１０１の押しボタン操作が行われる。
【００４７】
また、上記実施形態の表示灯１７は、３段の発光ユニットが積み重ねられたものであったが、１段の発光ユニットであっても良いし、３段以外の発光ユニットが積み重ねられたものであっても良い。
【００４８】
また、上記実施形態の各作業機１３は、供給機、はんだ印刷機、はんだ印刷検査機、電子部品実装機、基板外観検査機、連結コンベア、硬化機、又は収納機等の対基板作業機であったが、工作機械等であっても良い。
【符号の説明】
【００４９】
１１  情報表示システム
１３  作業機
１７  表示灯
１９  携帯端末
２３  管理コントローラ
４５  ＩＤ対応テーブル
４９  稼働情報テーブル
１０１  携帯端末
【図１】
0006761036.tif 000002
【図２】
0006761036.tif 000003
【図３】
0006761036.tif 000004
【図４】
0006761036.tif 000005
【図５】
0006761036.tif 000006
【図６】
0006761036.tif 000007
【図７】
0006761036.tif 000008